(57)【特許請求の範囲】
【請求項１】
記録媒体上に形成されたトナー像を定着する定着手段と電磁誘導加熱により前記定着手段を加熱する電磁誘導加熱手段と、商用電源から供給された電力を前記電磁誘導加熱手段に供給する加熱電源手段と、前記商用電源から供給された電力を他の電力負荷手段に供給する負荷電源手段と、を備えた画像形成装置において、
前記商用電源から供給された電力の入力電圧値を検知する電圧検知手段と、
前記電磁誘導加熱手段に供給する電力量を指示する電力値指示手段と、
前記負荷電源手段の種別を検知する電源種別検知手段と、
前記電力値指示手段から指示された電力量、前記電磁誘導加熱手段の電圧定格値及び前記電圧検知手段により検知された入力電圧値に基づいて、前記加熱電源手段から供給される出力電力量が下記式（１）の関係を満たすよう前記加熱電源手段を制御する電力制御手段と、
を備え、
前記電力制御手段は、前記電源種別検知手段により検知された負荷電源手段の種別が、所定の力率の負荷電源手段であった場合、前記所定の力率の負荷電源手段に比して力率の低い他の種別の負荷電源手段よりも、前記式（１）の係数Ｋの値を小さくすることを特徴とする画像形成装置。
【数１】
0004760217.tif 000008
ここで、Ｐｘは加熱電源手段に供給させる出力電力量、ＰＮは電力値指示手段から指示された電力量、ＶＮは電磁誘導加熱手段の電圧定格値、Ｖｘは電圧検知手段により検知された入力電圧値であって、係数Ｋ＞１．０である。
【請求項２】
記録媒体上に形成されたトナー像を定着する定着手段と電磁誘導加熱により前記定着手段を加熱する電磁誘導加熱手段と、商用電源から供給された電力を前記電磁誘導加熱手段に供給する加熱電源手段と、前記商用電源から供給された電力を他の電力負荷手段に供給する負荷電源手段と、を備えた画像形成装置において、
前記商用電源から供給された電力の入力電圧値を検知する電圧検知手段と、
前記電磁誘導加熱手段に供給する電力量を指示する電力値指示手段と、
前記負荷電源手段の種別を検知する電源種別検知手段と、
前記電力値指示手段から指示された電力量、前記電磁誘導加熱手段の電圧定格値及び前記電圧検知手段により検知された入力電圧値に基づいて、前記加熱電源手段から供給される出力電力量が下記式（１）の関係を満たすよう前記加熱電源手段を制御する電力制御手段と、
を備え、
前記電力値指示手段は、前記電源種別検知手段により検知された負荷電源手段の種別が、所定の力率の負荷電源手段であった場合、前記所定の力率の負荷電源手段に比して力率の低い他の種別の負荷電源手段よりも、指示する電力量の値を大きくすることを特徴とする画像形成装置。
【数２】
0004760217.tif 000009
ここで、Ｐｘは加熱電源手段に供給させる出力電力量、ＰＮは電力値指示手段から指示された電力量、ＶＮは電磁誘導加熱手段の電圧定格値、Ｖｘは電圧検知手段により検知された入力電圧値であって、係数Ｋ＞１．０である。
【請求項３】
前記電圧検知手段により検知された入力電圧値と前記電圧定格値とを比較する比較手段を備え、
前記電力制御手段は、前記比較手段により前記入力電圧値が前記電圧定格値を上回ったと判定された場合に、前記式（１）の係数Ｋの値を０に設定することを特徴とする請求項１又は２に記載の画像形成装置。
【請求項４】
前記定着手段は、定着ローラであって、
前記電磁誘導加熱手段は、前記定着ローラの中央部を加熱する中央部加熱手段と端部を加熱する端部加熱手段とを有し、
前記加熱電源手段は、前記端部加熱手段及び中央部加熱手段を交互にＯＮ／ＯＦＦ制御することを特徴とする請求項１〜３の何れか一項に記載の画像形成装置。
【発明の詳細な説明】
【技術分野】
【０００１】
本発明は、記録媒体に画像を形成する画像形成装置に関する。
【背景技術】
【０００２】
レーザ式のプリンタや複写機等の画像形成装置においては、画像データをプリント出力する際に、画像データに基づいて感光体ドラム上に現像されたトナー像を紙などの記録媒体上に転写し、この転写されたトナー像を加熱手段により加熱された定着器により加熱及び加圧することで当該記録媒体上に画像を形成している。このような定着器を備えた画像形成装置では、誘導コイルやハロゲンヒータ等の加熱手段への電力を供給するための加熱電源部が備えられている。この加熱電源部は、加熱手段を加熱させるため画像形成装置内の他の負荷部に電力供給を行う負荷電源部に比べ高出力の電力供給が可能な構成となっている。一般に画像形成装置で利用可能な電力量は所定の値（例えば、１５００Ｗ）に定められており、この定められた利用可能電力量の範囲内で加熱電源部及び負荷電源部から供給される出力電力量は賄われている。
【０００３】
上述した画像形成装置の構成では、商用電源から供給される電力の瞬断や電圧低下等が生じた場合、この変動に伴い加熱電源部や負荷電源部から供給される電力量も変動することになる。これにより、加熱手段の温度にムラが生じることから、定着不良が生じる等安定した画像形成ができないという問題がある。そこで、従来、加熱手段に供給されるＡＣライン電流の値を電流検知回路で検知し、この電流検知回路からの出力電圧に基づいた電力制御を行うことで、加熱電源部からの出力電力量をＡＣライン電圧（電源電圧）の変動に比例して変化させる画像形成装置が提案されている（特許文献１参照）。
【特許文献１】特開２００３−３４５１４９号公報
【発明の開示】
【発明が解決しようとする課題】
【０００４】
ところで、電源の種別により供給される電力の力率が異なる場合がある。例えば、標準スイッチング電源である場合では力率が５０％〜６０％と低くなっており、アクティブフィルタ電源である場合では力率を１００％近くまで実現することが可能となっている。そのため、上述した負荷電源部の種別によっては、その力率に応じた出力電力量が電力負荷部に供給されることになるため、当該負荷電源部の種別に応じて、加熱電源部から供給される加熱手段への出力電力量を制御する必要がある。
【０００５】
しかしながら、特許文献１の画像形成装置では、負荷電源部の力率に関しては何ら考慮されておらず、ＡＣライン電圧の変動に比例した出力電力量が加熱電源部に供給されるのみであるため、負荷電源部の種別に応じた出力電力量を導出することができず、上述した利用可能電力量の範囲内で制御することができないという問題がある。
【０００６】
本発明の課題は、加熱電源手段からの電磁誘導加熱により定着手段を加熱する電磁誘導加熱手段を備えた画像形成装置において、商業電源から供給される電力変動に応じた出力電力量で、且つ、当該画像形成装置に備えられた負荷電源手段の種別に応じた出力電力量を電磁誘導加熱手段に供給することが可能な画像形成装置を提供することである。
【課題を解決するための手段】
【０００７】
上記課題を解決するため、請求項１に記載の発明は、
記録媒体上に形成されたトナー像を定着する定着手段と電磁誘導加熱により前記定着手段を加熱する電磁誘導加熱手段と、商用電源から供給された電力を前記電磁誘導加熱手段に供給する加熱電源手段と、前記商用電源から供給された電力を他の電力負荷手段に供給する負荷電源手段と、を備えた画像形成装置において、
前記商用電源から供給された電力の入力電圧値を検知する電圧検知手段と、
前記負荷電源手段の種別を検知する電源種別検知手段と、
前記電磁誘導加熱手段に供給する電力量を指示する電力値指示手段と、
前記電力値指示手段から指示された電力量、前記電磁誘導加熱手段の電圧定格値及び前記電圧検知手段により検知された入力電圧値に基づいて、前記加熱電源手段から供給される出力電力量が下記式（１）の関係を満たすよう前記加熱電源手段を制御する電力制御手段と、
を備え、
前記電力制御手段は、前記電源種別検知手段により検知された負荷電源手段の種別が、所定の力率の負荷電源手段であった場合、前記所定の力率の負荷電源手段に比して力率の低い他の種別の負荷電源手段よりも、前記式（１）の係数Ｋの値を小さくすることを特徴としている。
【数３】
0004760217.tif 000002
また、請求項２に記載の発明は、
記録媒体上に形成されたトナー像を定着する定着手段と電磁誘導加熱により前記定着手段を加熱する電磁誘導加熱手段と、商用電源から供給された電力を前記電磁誘導加熱手段に供給する加熱電源手段と、前記商用電源から供給された電力を他の電力負荷手段に供給する負荷電源手段と、を備えた画像形成装置において、
前記商用電源から供給された電力の入力電圧値を検知する電圧検知手段と、
前記負荷電源手段の種別を検知する電源種別検知手段と、
前記電磁誘導加熱手段に供給する電力量を指示する電力値指示手段と、
前記電力値指示手段から指示された電力量、前記電磁誘導加熱手段の電圧定格値及び前記電圧検知手段により検知された入力電圧値に基づいて、前記加熱電源手段から供給される出力電力量が前記式（１）の関係を満たすよう前記加熱電源手段を制御する電力制御手段と、
を備え、
前記電力値指示手段は、前記電源種別検知手段により検知された負荷電源手段の種別が、所定の力率の負荷電源手段であった場合、前記所定の力率の負荷電源手段に比して力率の低い他の種別の負荷電源手段よりも、指示する電力量の値を大きくすることを特徴としている。
ここで、Ｐｘは加熱電源手段に供給させる出力電力量、ＰＮは電力値指示手段から指示された電力量、ＶＮは電磁誘導加熱手段の電圧定格値、Ｖｘは電圧検知手段により検知された入力電圧値であって、係数Ｋ＞１．０である。
【０００８】
更に、請求項３に記載の発明は、請求項１又は２に記載の発明において、
前記電圧検知手段により検知された入力電圧値と前記電圧定格値とを比較する比較手段を備え、
前記電力制御手段は、前記比較手段により前記入力電圧値が前記電圧定格値を上回ったと判定された場合に、前記式（１）の係数Ｋの値を０に設定することを特徴としている。
【００１１】
更に、請求項４に記載の発明は、請求項１〜３の何れか一項に記載の発明において、
前記定着手段は、定着ローラであって、
前記電磁誘導加熱手段は、前記定着ローラの中央部を加熱する中央部加熱手段と端部を加熱する端部加熱手段とを有し、
前記加熱電源手段は、前記端部加熱手段及び中央部加熱手段を交互にＯＮ／ＯＦＦ制御することを特徴としている。
【発明の効果】
【００１２】
請求項１、２に記載の発明によれば、商用電源から供給された電力の入力電圧値に応じて、加熱電源手段から電磁誘導加熱手段に供給される出力電力量を制御することが可能であるため、商業電源から供給される電力の電力変動に応じた出力電力量を、電磁誘導加熱手段に供給することができる。
【００１３】
請求項３に記載の発明によれば、商用電源から供給された入力電圧値が電磁誘導加熱手段の電圧定格値を上回った場合に、当該電圧定格値と同等の出力電力量を電磁誘導加熱手段に供給することが可能であるため、電磁誘導加熱手段を安全に加熱することができる。
【００１４】
請求項１、２に記載の発明によれば、負荷電源手段の種別に応じて、加熱電源手段から電磁誘導加熱手段に供給される出力電力量を制御することが可能であるため、画像形成装置に備えられた負荷電源手段の種別に応じた出力電力量を、電磁誘導加熱手段に供給することができる。
【００１６】
請求項４に記載の発明によれば、定着ローラ全体をムラなく加熱することが可能であるとともに、複数の電磁誘導加熱手段への電力配分を不要とすることができる。
【発明を実施するための最良の形態】
【００１７】
以下、図面を参照して本発明を実施するための最良の形態について詳細に説明する。ただし、発明の範囲は図示例に限定されないものとする。
【００１８】
まず、図１を参照して画像形成装置１０の構成を説明する。
図１は、加熱手段として電磁誘導加熱により加熱を行う電磁誘導加熱手段を用いた定着装置を含む画像形成装置１０の温度制御回路の一例を示している。
図１において、画像形成装置１０は、操作部１１、ネットワーク接続部１２、画像形成部１３、原稿読取装置１４、負荷部１５、メイン制御部１６、サブ制御部１７、定着装置１８、後処理装置１９等を有して構成されている。
【００１９】
操作部１１は、画像形成装置１０の各種動作を指示するためのものであり、例えば、操作入力キー、表示画面等を備えている。操作入力キーは、画像形成装置１０の設定や運転動作指示を入力するように構成されたものであり、例えば、操作ボタン、リモコン等である。表示画面は、例えば、ＬＣＤ（Liquid Crystal Display）等により構成され、画像形成装置の設定、運転状態等を表示する。なお、操作部１１がタッチパネルである場合、表示画面は、操作入力キーを兼ね備える構成となる。
【００２０】
ネットワーク接続部１２は、ネットワークインターフェイスカード（ＮＩＣ；Network Interface Card）やモデム等の通信用のインターフェースを備え、インターネット上に接続される他の装置と相互にデータの送受信を行う。
【００２１】
画像形成部１３は、メイン制御部１６から入力される画像データをＡ／Ｄ変換するＡ／Ｄ基盤１３１と、この変換された画像データを不図示の感光体ドラム等の像担持体に静電潜像として形成するＬＤ（Laser Diode）基盤１３２等を有している。
【００２２】
原稿読取装置１４は、原稿台に載置された原稿の二次元情報を読取、デジタルデータに変換する機能部である。即ち、原稿台に載置された原稿に光を投射し、その反射光をＣＣＤにより読取、線形デジタルデータに変換し、サブ制御部１７に出力する。
【００２３】
負荷部１５は、画像形成装置１０によるコピー等の画像形成処理に係る複数の回路や機構であって、例えば、定着装置１８の定着ローラ１８１や加圧ローラ１８４を回転させるモータや、このモータを制御する制御回路、不図示の給紙部から紙等の記録媒体を搬送する搬送機構や、この搬送機構を制御する制御回路等が挙げられる。
【００２４】
メイン制御部１６は、ＣＰＵ（Central Processing Unit）、ＲＯＭ（Read Only Memory）、ＲＡＭ（Random Access Memory）等により構成され、ＲＯＭ等の記憶部に格納されている各種設定値やシステムプログラムを読み出して実行することにより、バスＢ１を介して画像形成装置１０全体を統括的に制御する。具体的には、メイン制御部１６は、画像形成装置のマザーボードや画像制御、プリンタコントローラ等のシステムに係る制御を行い、例えば、起動時（ブート時）における各部の起動処理や、ジャム等の障害発生時のリカバリ処理等を行う。
【００２５】
サブ制御部１７は、ＣＰＵ、ＲＯＭ、ＲＡＭ等により構成され、ＲＯＭ等の記憶部に格納されている各種設定値やシステムプログラムを読み出して実行することにより、バスＢ２を介して原稿読取装置１４、負荷部１５、後処理装置１９の動作を制御する。
【００２６】
定着装置１８には、定着ローラ１８１の表面温度を検知するため、定着ローラ１８１の中央部からの輻射熱の温度を検知する第１温度センサ２０、定着ローラ１８１の端部からの輻射熱の温度を検知する第２温度センサ２１の２つの非接触型のセンサが備えられている。この第１温度センサ２０は、定着ローラ１８１の上部に配置されて定着ローラ１８１の中央部の温度を検知し、第２温度センサ２１は、定着ローラ１８１の上部に配置されて定着ローラ１８１の端部の温度を検知する。第１温度センサ２０及び第２温度センサ２１としては、測温抵抗体（例えばサーミスタ等）が用いることができる。
【００２７】
サブ制御部１７は、第１温度センサ２０及び第２温度センサ２１から入力される定着ローラ１８１の中央部及び端部の温度と、ＲＯＭ等の記憶部に格納されたシステムプログラムとの協働により、ＩＨコイル駆動部２５６から第１ヒータ１８２及び第２ヒータ１８３に供給する出力電力量を指示する。なお、ここで、第１温度センサ２０及び第２温度センサ２１から入力される温度は、何れか一方の温度センサから入力される温度としてもよいし、両温度センサから入力される温度の平均値としてもよい。
【００２８】
定着装置１８は、記録媒体上に形成されたトナー像を定着する定着ローラ１８１と、ＩＨ電源２５からの電力供給を受けて電磁誘導加熱により定着ローラ１８１の加熱を行う第１ヒータ１８２及び第２ヒータ１８３と、定着ローラ１８１に圧接して定着ニップを形成する加圧部材としての加圧ローラ１８４とを備えている。
【００２９】
同図に示すように、第１ヒータ１８２は、定着ローラ１８１の中央部を加熱し、第２ヒータ１８３は、定着ローラ１８１の端部を加熱するようになっており、サブ制御部１７によりＩＨ電源２５から定着装置１８に供給する電力量を指示する制御信号（ＩＨ電力指令信号、ＩＨ＿ＣＯＮＴ信号）が後述するＩＨ制御部２５５に送信されることで、第１ヒータ１８２及び第２ヒータ１８３による加熱温度が制御されるようになっている。なお、この第１ヒータ１８２及び第２ヒータ１８３は、後述するＩＨコイル駆動部２５６により交互にＯＮ／ＯＦＦ制御されることで交互に加熱される。
【００３０】
定着ローラ１８１は図示しない駆動源により回転駆動され、加圧ローラ１８４は定着ローラ１８１に従動して回転される。定着ローラ１８１と加圧ローラ１８４とは、記録媒体を定着ニップで挟持して搬送する間に加熱および加圧して、記録媒体上のトナー像を溶融定着するようになっている。
【００３１】
後処理装置１９は、サブ制御部１７により制御され、排出トレイと、画像形成部１３に供給される複写物を後処理要求に応じてパンチ処理、ステイプル処理および折り畳み処理等所定の処理を行い、排出トレイに排出させる。
【００３２】
ＤＣ電源２２は、商用電源であるＡＣ電源２３より交流電力を受電し、メイン制御部１６の電力制御信号に基づいて、画像形成装置１０の各部へ電力を供給する。なお、ＡＣ電源２３から供給される電力量は、所定の値（例えば、１５００Ｗ）に定められているものとし、この定められた電力量の範囲内でＤＣ電源２２及び後述するＩＨ電源２５から供給される出力電力量は賄われている。
【００３３】
ＤＣ電源２２のＯＮ、ＯＦＦは、操作者が電源ＳＷ２４をＯＮ、ＯＦＦすることにより行われる。この、ＤＣ電源２２は、ＡＣ電源２３から受電される交流電源を直流化するとともに整流・平滑を行うＡＤ−ＤＣ整流平滑部２２１、ＡＤ−ＤＣ整流平滑部２２１からの電力をメイン制御部１６に供給するシステム制御電源生成ブロック２２２、ＡＤ−ＤＣ整流平滑部２２１からの電力をサブ制御部１７に供給するエンジン制御・駆動電源生成ブロック２２３等を有して構成される。エンジン制御・駆動電源生成ブロック２２３は、メイン制御部１６からの電源制御信号に基づいて、サブ制御部１７に電力を供給する。
【００３４】
また、ＤＣ電源２２は、当該ＤＣ電源２２の電源種別を検知する電源種別検知部２２４を具備しており、この電源種別検知部２２４により検知された電源種別検知信号がサブ制御部１７と後述するＩＨ電源２５のＩＨ制御部２５５とに送信される。ここでＤＣ電源２２の種別は、ＤＣ電源２２から供給される電力の力率や電流パルス等が電源種別検知信号として送信されることとしてもよいし、また、ＤＣ電源２２の種別を示した情報がレジスタ等の付図示の記憶手段に記憶されている場合には、この種別情報を電源種別検知信号として送信することとしてもよい。なお、本実施の形態では、電源種別検知部２２４により、ＤＣ電源２２の種別として標準スイッチング電源及びアクティブフィルタ電源を検知可能な態様とするが、これに限らず、他の電源種別を検知可能な態様としてもよい。
【００３５】
ＩＨ電源２５は、図１に示すように電流検知部２５１、ＡＣ−ＤＣ整流部２５２、電圧検知部２５３、内部基準電圧電源２５４、ＩＨ制御部２５５、ＩＨコイル駆動部２５６等から構成される。
【００３６】
電流検知部２５１は、ＡＣ電源２３から受電される交流電力の電流値を検知し、この検知信号をＩＨ制御部２５５に送信する。
【００３７】
ＡＣ−ＤＣ整流部２５２は、ＡＣ電源２３から受電される交流電力の直流化及び整流を行い、ＩＨコイル駆動部２５６に直流電力を供給する。
【００３８】
電圧検知部２５３は、ＡＣ−ＤＣ整流部２５２から供給される直流電力の入力電圧値を検知し、この検知信号をＩＨ制御部２５５に送信する。
【００３９】
内部基準電圧電源２５４は、ＡＣ−ＤＣ整流部２５２から供給される直流電力に基づいて、ＩＨ制御部２５５を駆動させるための所定の内部基準電圧をＩＨ制御部２５５に供給する。
【００４０】
ＩＨ制御部２５５は、ＣＰＵ、ＲＯＭ、ＲＡＭ等により構成され、ＲＯＭに格納されている各種設定値や電力制御プログラムを読み出して実行することにより、電圧検知部２５３により検知された入力電圧値、サブ制御部１７から入力されたＩＨ電力指令信号、第１ヒータ１８２及び第２ヒータ１８３に印可可能な最大電圧値を示す電圧定格値及び電源種別検知部２２４からの電源種別検知信号に基づいて、ＩＨコイル駆動部２５６から供給される出力電力量を制御する電力制御処理を実行する。
【００４１】
具体的には、ＩＨ制御部２５５は、電源種別検知部２２４により検知されたＤＣ電源２２の種別に応じて下記式（２）の係数Ｋの値を変更するとともに、サブ制御部１７からの電力指令指令信号で指示された電力量、電圧定格値及び電圧検知部２５３により検知されたＡＣ電源２３からの入力電圧値に基づいて、ＩＨコイル駆動部２５６から供給される出力電力量が下記式（２）の関係を満たすよう制御を行う。
【００４２】
【数２】
0004760217.tif 000003
ここで、ＰｘはＩＨコイル駆動部２５６から第１ヒータ１８２及び第２ヒータ１８３に供給させる出力電力量、ＰＮは電力指令指令信号で指示された電力量、ＶＮは電圧定格値、Ｖｘは電圧検知部２５３により検知されたＡＣ電源２３の入力電圧値であって、係数Ｋ＞１．０となっている。
【００４３】
なお、本実施の形態では、電圧定格値はＩＨ制御部２５５が具備する不図示のレジスタやＲＯＭ等の記憶手段に予め記憶されているものとするが、これに限らず、ＩＨ制御部２５５が読み出し可能な記憶手段をＩＨ制御部２５５外に別途備え、この記憶手段に電圧定格値を予め記憶させることとしてもよい。
【００４４】
また、ＩＨ制御部２５５は、電流検知部２５１からの電流検知信号に基づいて、ＡＣ電源２３からＩＨ電源２５に供給される電流値が所定の範囲内にあるか否かを判定し、所定の範囲外となる異常時には、サブ制御部１７にエラー検知信号を送信する。
【００４５】
ＩＨコイル駆動部２５６は、ＩＨ制御部２５５からの制御信号に基づいて、第１ヒータ１８２、第２ヒータ１８３に電磁誘導加熱の駆動電力となる出力電力を供給する。また、ＩＨコイル駆動部２５６は、第１ヒータ１８２及び第２ヒータ１８３への電力供給を交互にＯＮ／ＯＦＦ制御する。これにより、定着ローラ１８１全体をムラなく加熱することが可能であるとともに、第１ヒータ１８２及び第２ヒータ１８３への電力配分が不要となる。
【００４６】
リレー回路２６は、ＡＣ電源２３からの交流電力をＩＨ電源２５に供給する。サブ制御部１７は、第１温度センサ２０、第２温度センサ２１により検知される温度が、規定温度を超えた所定の温度となった温度異常時又はＩＨ制御部２５５からのエラー検知信号受信時に、リレー回路２６に通電の遮断を指示するリレーＯＦＦ信号を送信することにより、ＩＨ電源２５への通電を遮断する。
【００４７】
次に、上記構成における定着装置１８への電力制御について説明する。
図２は、ＩＨコイル駆動部２５６から供給される出力電力の電力制御処理の手順を示すフローチャートである。なお、図２の各処理は、ＩＨ電源２５のＩＨ制御部２５５と、付図示のＲＯＭに記憶された電力制御プログラムとの協働により実行される処理を示している。
【００４８】
本処理の前提として、画像形成装置１０の電源ＳＷ２４がＯＮとされているとし、メイン制御部１６により画像形成装置１０に係るシステムが起動され、電源制御信号に基づいて、ＤＣ電源２２にから電力が供給されているものとする。また、本処理は定着装置１８（第１ヒータ１８２及び第２ヒータ１８３）が加熱されている間、常時又は所定の時間毎に実行されるものとする。
【００４９】
まず、不図示の記憶手段に記憶された電圧定格値ＶＮが読み取られ（ステップＳ１１）、本処理の制御パラメータとしてＲＡＭに一時記憶される。また、サブ制御部１７から送信された電力指令信号が受信され（ステップＳ１２）、当該電力指令信号で指示された電力値ＰＮが本処理の制御パラメータとしてＲＡＭに一時記憶される。なお、本実施の形態では、制御パラメータとしてＶＮ＝１００（Ｖ）、ＰＮ＝１０００（Ｗ）がＲＡＭに一時記憶された場合を例として以下説明する。
【００５０】
次いで、電源種別検知部２２４から送信された電源種別検知信号が受信されると（ステップＳ１３）、この電源種別検知信号に基づいて、ＤＣ電源２２が標準スイッチング電源かアクティブフィルタ電源かが判別される（ステップＳ１４）。ここで、ＤＣ電源２２が標準スイッチング電源であると判別された場合には（ステップＳ１４；Ｌ）、当該標準スイッチング電源に応じた係数Ｋの値が設定され（ステップＳ１５）、この設定された係数Ｋの値が本処理の制御パラメータとしてＲＡＭに一時記憶される。本実施の形態では標準スイッチング電源である場合の係数Ｋの値が「１．８」に設定されるものとする。なお、標準スイッチング電源である場合の係数Ｋの値はこれに限らないものとするが、「１．５〜１．８」の間の値に設定することが好ましい。
【００５１】
続いて、電圧検知部２５３から送信された電圧検知信号を受信すると（ステップＳ１６）、当該電圧検知信号で指示された入力電圧値Ｖｘが本処理の制御パラメータとしてＲＡＭに一時記憶される。ここで、入力電圧値Ｖｘと電圧定格値ＶＮとが比較され、入力電圧値Ｖｘの値が電圧定格値ＶＮの値以下であると判定された場合には（ステップＳ１７；Ｙｅｓ）、下記式（３）に基づいてＩＨコイル駆動部２５６から供給される出力電力量Ｐｘが算出され（ステップＳ１８）、ステップＳ２５に移行する。
【数３】
0004760217.tif 000004
【００５２】
ＤＣ電源２２が標準スイッチング電源である場合には、力率が５０％〜６０％と低くなっているため、その力率に応じた出力電力量が電力負荷部であるメイン制御部１６やサブ制御部１７、負荷部１５等の画像形成装置１０の各部に供給されることになる。そのため、上記式（３）の関係式に基づいてＩＨコイル駆動部２５６から供給する出力電力量を制御することにより、ＤＣ電源２２の種別に応じた出力電力量をＩＨコイル駆動部２５６から供給することができる。
【００５３】
一方、ステップＳ１７において、入力電圧値Ｖｘの値が電圧定格値ＶＮの値を上回ると判定された場合には（ステップＳ１７；Ｎｏ）、下記式（４）に基づいてＩＨコイル駆動部２５６から供給される出力電力量が算出され（ステップＳ１９）、ステップＳ２５に移行する。
【数４】
0004760217.tif 000005
【００５４】
また、ステップＳ１４において、ＤＣ電源２２がアクティブフィルタ電源と判別された場合には（ステップＳ１４；Ｈ）、当該アクティブフィルタ電源に応じた係数Ｋの値が設定され（ステップＳ２０）、この設定された係数Ｋの値が本処理の制御パラメータとしてＲＡＭに一時記憶される。なお、本実施の形態ではアクティブフィルタ電源である場合の係数Ｋの値が「１．２」に設定されるものとする。なお、アクティブフィルタ電源である場合の係数Ｋの値はこれに限らないものとするが、「１．２〜１．５」の間の値に設定することが好ましい。
【００５５】
続いて、電圧検知部２５３から送信された電圧検知信号を受信すると（ステップＳ２１）、当該電圧検知信号で指示された入力電圧値Ｖｘが本処理の制御パラメータとしてＲＡＭに一時記憶される。ここで、入力電圧値Ｖｘと電圧定格値ＶＮとが比較され、入力電圧値Ｖｘの値が電圧定格値ＶＮの値以下であると判定された場合には（ステップＳ２２；Ｙｅｓ）、下記式（５）に基づいてＩＨコイル駆動部２５６から供給される出力電力量Ｐｘが算出され（ステップＳ２３）、ステップＳ２５に移行する。
【数５】
0004760217.tif 000006
【００５６】
ＤＣ電源２２がアクティブフィルタ電源である場合には、力率を１００％近くまで実現することが可能となっているため、その力率に応じた出力電力量が電力負荷部であるメイン制御部１６やサブ制御部１７、負荷部１５等の画像形成装置１０の各部に供給されることになる。そのため、上記式（５）の関係式に基づいてＩＨコイル駆動部２５６から供給する出力電力量を制御することにより、ＤＣ電源２２の種別に応じた出力電力量をＩＨコイル駆動部２５６から供給することができる。
【００５７】
一方、ステップＳ２２において、入力電圧値Ｖｘの値が電圧定格値ＶＮの値を上回ると判定された場合には（ステップＳ２２；Ｎｏ）、下記式（６）に基づいてＩＨコイル駆動部２５６から供給される出力電力量Ｐｘが算出され（ステップＳ２４）、ステップＳ２５に移行する。
【数６】
0004760217.tif 000007
【００５８】
ステップＳ２５では、算出された出力電力量Ｐｘを第１ヒータ１８２及び第２ヒータ１８３に供給させる制御信号がＩＨコイル駆動部２５６に送信されて（ステップＳ２５）、本処理は終了する。
【００５９】
図３は、上記した電力制御処理により制御された係数Ｋ＝１．５の条件下における入力電圧と出力電力との関係を示した図である。図３において、横軸はＶｘ／ＶＮが１．０、つまり、Ｖｘ＝ＶＮの時点を基準とした入力電圧の変化の割合（Ｖｘ／ＶＮ）を示している。また、縦軸はＶｘ／ＶＮが１．０となった時点でのＰｘ／ＰＮの値を基準とした出力電力の変化の割合（Ｐｘ／ＰＮ）を示している。
【００６０】
図３に示すように、電圧検知部２５３で検知された入力電圧値Ｖｘが電圧定格値ＶＮを上回った場合には、図２のステップＳ１９又はステップＳ２４で示したように、係数Ｋの値が「０」に設定されＰｘ＝ＰＮとなるため、出力電力量の割合は一定となる。このように、ＡＣ電源２３からの入力電圧が第１ヒータ１８２及び第２ヒータ１８３の電圧定格値を上回った場合に、当該電圧定格値と同等の出力電力量を第１ヒータ１８２及び第２ヒータ１８３に供給することが可能であるため、第１ヒータ１８２及び第２ヒータ１８３を安全に加熱することができる。なお、図４に示すように、Ｖｘ＝ＶＮとなった場合あっても、係数Ｋを「０」とせず引き続き上記した式（１）に基づいて算出した出力電力量を、第１ヒータ１８２及び第２ヒータ１８３に供給するよう制御することこととしてもよい。
【００６１】
以上のように、ＡＣ電源２３から供給された電力の入力電圧値に応じて、ＩＨコイル駆動部２５６から第１ヒータ１８２及び第２ヒータ１８３に供給される出力電力量を制御することが可能であるため、ＡＣ電源２３から供給される電力の電力変動に応じた出力電力量を、第１ヒータ１８２及び第２ヒータ１８３に供給することができる。
また、入力電圧値及びＤＣ電源２２の種別に応じてＩＨコイル駆動部２５６から第１ヒータ１８２及び第２ヒータ１８３に供給される出力電力量を制御することが可能であるため、画像形成装置１０に備えられたＤＣ電源２２の種別に応じた出力電力量を第１ヒータ１８２及び第２ヒータ１８３に供給することができる。
【００６２】
上記実施の形態における画像形成装置１０の細部構成および詳細動作に関しては、本発明の趣旨を逸脱しない範囲で適宜変更可能である。
【００６３】
例えば、上記実施の形態では、ＩＨ制御部２５５が電源種別検知部２２４から送信された電源種別検知信号に基づいて、ＩＨコイル駆動部２５６から供給される出力電力量を導出することとしたが、サブ制御部１７が電源種別検知部２２４から入力される電源種別制御信号に基づいて、ＤＣ電源２２の種別に応じた電力量を指示するＩＨ電力指令信号をＩＨ制御部２５５に送信することとしてもよく、これにより上記した実施の形態と同様の効果を奏することができる。
【００６４】
また、定着装置１８の加熱手段として電磁誘導加熱手段（第１ヒータ１８２及び第２ヒータ１８３）を用いることとしたが、これに限らず、ハロゲンヒータを用いることとしてもよいし、セラミックヒータを用いることとしてもよい。
【図面の簡単な説明】
【００６５】
【図１】画像形成装置の温度制御回路の一例を示した図である。
【図２】電力制御処理を示すフローチャートである。
【図３】入力電圧と出力電力との関係の一例を示した図である。
【図４】入力電圧と出力電力との関係の一例を示した図である。
【符号の説明】
【００６６】
１０  画像形成装置
１１  操作部
１２  ネットワーク接続部
１３  画像形成部
１３１  Ａ／Ｄ基盤
１３２  ＬＤ基盤
１４  原稿読取装置
１５  負荷部
１６  メイン制御部
１７  サブ制御部
１８  定着装置
１８１  定着ローラ
１８２  第１ヒータ
１８３  第２ヒータ
１８４  加圧ローラ
１９  後処理装置
２０  第１温度センサ
２１  第２温度センサ
２２  ＤＣ電源
２２１  ＡＣ−ＤＣ整流平滑部
２２２  システム制御電源生成ブロック
２２３  エンジン制御・駆動電源生成ブロック
２２４  電源種別検知部
２３  ＡＣ電源
２４  電源ＳＷ
２５  ＩＨ電源
２５１  電流検知部
２５２  ＤＣ整流部
２５３  電圧検知部
２５４  内部基準電圧電源
２５５  ＩＨ制御部
２５６  ＩＨコイル駆動部
２６  リレー回路
【図１】
0004760217.tif 000010
【図２】
0004760217.tif 000011
【図３】
0004760217.tif 000012
【図４】
0004760217.tif 000013